【事件の表示】
　特許第２８３０２７２号「撮影レンズ鏡胴」の特許に対する特許異議の申立てについて、次のとおり決定する。
【結論】
　訂正を認める。
　特許第２８３０２７２号の特許を維持する。
【理由】
（１）手続きの経緯
　本件特許第２８３０２７２号発明は、平成２年１月１６日の出願であって、平成１０年９月２５日にその発明の特許がなされ、その後、溝呂木　寛より特許異議の申立てがなされ、取消理由通知がなされ、その指定期間内である平成１１年１０月８日に訂正請求がなされたものである。
（２）訂正の適否についての判断
▲１▼特許請求の範囲の訂正
ア．訂正明細書の請求項１に係る発明
　訂正明細書の請求項１に係る発明は、特許請求の範囲に特定された、次のとおりのものである。「固定筒と、カム溝を有し、固定筒に回動自在に支持されたカム筒と、前記カム筒のカム溝に嵌入する従動ピンを有し、カム筒が回転することにより前後移動するレンズ枠と、前記固定筒の軸線方向に取付けられ、前記レンズ枠のガイド孔に嵌入してレンズ枠を案内するガイドバーと、を有する撮影レンズ鏡胴に於いて、前記固定筒の前面に固定絞り片を固定筒と一体に形成し、該固定絞り片によって固定筒の前面から入射した撮影光のうち、露光範囲の外側の余分な撮影光の侵入を防止し、前記固定絞り片によって前記余分な撮影光による前記従動ピンとガイドバーの反射を防止すると共に、ガイドバーの前端を固定絞り片に支持したことを特徴とする撮影レンズ鏡胴。」
▲２▼詳細な説明の訂正
ア．明細書第３頁第２〜１２行（特許掲載公報第３欄第７〜１８行）の「本発明は、‥‥‥ことを特徴としている。」を「本発明は、前記目的を達成する為に、固定筒と、カム溝を有し、固定筒に回動自在に支持されたカム筒と、前記カム筒のカム溝に嵌入する従動ピンを有し、カム筒が回転することにより前後移動するレンズ枠と、前記固定筒の軸線方向に取付けられ、前記レンズ枠のガイド孔に嵌入してレンズ枠を案内するガイドバーと、を有する撮影レンズ鏡胴に於いて、前記固定筒の前面に固定絞り片を固定筒と一体に形成し、該固定絞り片によって固定筒の前面から入射した撮影光のうち、露光範囲の外側の余分な撮影光の侵入を防止し、前記固定絞り片によって前記余分な撮影光による前記従動ピンとガイドバーの反射を防止すると共に、ガイドバーの前端を固定絞り片に支持したことを特徴としている。」と訂正する。
▲３▼訂正の目的の適否及び拡張・変更の存否等
　上記訂正▲１▼は、訂正前明細書の請求項１に記載された発明を、技術的に限定して、請求項１としたものであり、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正▲２▼は、特許請求の範囲の訂正に対応したものであり、明瞭でない記載の釈明に該当し、願書に添付した明細書又は図面に記載された事項の範囲内のものであり、実質的に特許請求の範囲を拡張又は変更するものではなく、新規事項の追加もない。
▲４▼独立特許要件の判断
（引用刊行物に記載された発明）
訂正前明細書の請求項１に係る発明に対して、当審が通知した取消理由で引用した実願昭６０−３４２１６号（実開昭６１−１５３０１７号）のマイクロフイルム（以下、「第１引用例」という。）には、「従来、この種のズームレンズ鏡筒は、第２図及び第３図に示すように合焦レンズＬ１が合焦レンズホルダ１に保持され、かつ固定筒２とその外周においてへりコイド結合され、該合焦レンズホルダを回動することにより合焦レンズＬ１を光軸方向に繰り出すようになっており、また、変倍しンズＬ２と補正レンズＬ３は、それぞれレンズホルダ３、レンズホルダ４に保持され、このレンズホルダ３、４は該固定筒２の内周に回動可能に嵌装されたカム環６のカム溝６ａ、６ｂに嵌装されており、該固定筒２の前後両端面にそれぞれ固定されたマスク板８、９に支持された３本のガイドバー５に案内され、かつ該カム環６に設けられたカム溝６ａ、６ｂに従ってそれぞれ光軸方向に移動できるようになっている。」（第１頁末行乃至第２頁第１４行）との記載があり、図面第２図及び第３図からは、カム溝６ａ、６ｂに嵌入する従動ピン、レンズホルダ３、４のガイド孔に嵌入するガイドバー５が窺える。
　同じく引用した特開平３−２１０５１４号公報（以下、「第２引用例」という。）には、本件請求項１に係る発明が記載されている。
（請求項１に係る発明についての対比・判断）
　本件請求項１に係る発明と第１引用例に記載の発明とを対比すると、本件請求項１に係る発明の「固定筒」、「カム溝」、「カム筒」、「レンズ枠」、「ガイドバー」、「固定絞り片」は、それぞれ第１引用例記載の発明の「固定筒２」、「カム溝６ａ、６ｂ」、「カム環６」、「レンズホルダ３，４」、「ガイドバー５」、「マスク板８」に相当するから、両者は、固定筒と、カム溝を有し、固定筒に回動自在に支持されたカム筒と、前記カム筒のカム溝に嵌入する従動ピンを有し、カム筒が回転．することにより前後移動するレンズ枠と、前記固定筒の軸線方向に取付けられ、前記レンズ枠のガイド孔に嵌入してレンズ枠を案内するガイドバーと、を有する撮影レンズ鏡胴に於いて、前記固定筒の前面に固定絞り片を固定筒と別体に形成し、ガイドバーの前端を固定絞り片に支持したことを特徴とする撮影レンズ鏡胴、で−致し、
Ａ固定絞り片と固定筒とが、本件請求項１に係る発明は、一体であるのに対して、第１引用例に記載の発明は、別体である点、
Ｂ本件請求項１に係る発明では、該固定絞り片によって固定筒の前面から入射した撮影光のうち、露光範囲の外側の余分な撮影光の侵入を防止するのに対して、第１引用例に記載の発明では、そのような記載が無い点、
Ｃ本件請求項１１に係る発明では、前記固定絞り片によって前記余分な撮影光による前記従動ピンとガイドバーの反射を防止するのに対して、第１引用例に記載の発明では、そのような記載が無い点で相違する。
　そこで、これらの相違点について検討すると、第１引用例記載のマスク板８、９はその断面図が開示されているだけであるから、その形状を特定できず、その機能も、「固定筒の前後両端に該カム環を保持するマスク板」（実用新案登録請求の範囲）及び「カム環２３を保持するマスク板２４、２５」（第５頁第５〜６行）との記載からみて、カム環の保持にあることは明らかである。
　してみれば、異議申立人が参考資料として提示した特開昭６２−４２１３６号公報に記載された、遮光用マスク１１９が公知であったとしても、第１引用例記載のマスク板８、９が、この遮光用マスク１１９と同様の形状、機能を有するか否かは、明らかでなく、また、第１引用例記載のマスク板８、９が、本件請求項１に係る発明の固定絞り片に相当するということはできない。
　さらに、本件請求項１に係る発明の固定絞り片は、前記余分な撮影光による前記従動ピンとガイドバーの反射を防止するのであるから、第１引用例には、上記Ｂ、Ｃの構成が記載されていない。
　本件請求項１に係る発明は、これらの構成を有することによって、明細書記載の作用効果を奏するものであるから、本件請求項１に係る発明が第１引用例に記載された発明であるとも、第１引用例に基づいて容易に推考された発明であるともいえない。
（要旨変更について）
　異議申立人が主張した部分は、上記（２）の訂正請求により、理由のないものとなった。
　それゆえ、出願日は繰り下がらない。
　したがって、本件請求項１に係る発明は特許出願の際独立して特許を受けることができない発明とすることはできない。
▲５▼むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する第１２６条第２−４項の規定に適合するので、当該訂正を認める。
（３）特許異議の申立てについての判断
ア．申立ての理由の概要
　申立人溝呂木　寛は、証拠として甲第１号証（実願昭６０−３４２１６号〔実開昭６１−１５３０１７号〕のマイクロフイルム、上記第１引用例に同じ）、及び甲第２号証（特開平３−２１０５１４号公報、上記第２引用例に同じ）を提出し、訂正前の請求項１に記載された発明は、特許法第２９条第１項第３号の規定に違反してなされたものであるから、特許を取り消すべき旨主張し、また、特許法第２９条第２項の規定に違反してなされたものであるから、特許を取り消すべき旨主張している。
イ．判断
〔本件請求項１係る発明〕
　本件請求項１に係る発明は、上記（２）▲４▼で述べた通りである。
ウ．むすび
　以上のとおりであるから、特許異議申立の理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１１年１２月８日（１９９９．１２．８）
【訂正の要旨】
　訂正の要旨
特許請求の範囲の減縮を目的として、下記（１）のように特許請求の範囲を訂正する。また、特許請求の範囲の訂正に応じて、発明の詳細な説明についても、適合性を持たせるために下記（２）のように訂正する。
（１）特許請求の範囲を次のとおり訂正する。
「固定筒と、カム溝を有し、固定筒に回動自在に支持されたカム筒と、前記カム筒のカム溝に嵌入する従動ピンを有し、カム筒が回転することにより前後移動するレンズ枠と、前記固定筒の軸線方向に取付けられ、前記レンズ枠のガイド孔に嵌入してレンズ枠を案内するガイドバーと、を有する撮影レンズ鏡胴に於いて、前記固定筒の前面に固定絞り片を固定筒と一体に形成し、該固定絞り片によって固定筒の前面から入射した撮影光のうち、露光範囲の外側の余分な撮影光の侵入を防止し、前記固定絞り片によって前記余分な撮影光による前記従動ピンとガイドバーの反射を防止すると共に、ガイドバーの前端を固定絞り片に支持したことを特徴とする撮影レンズ鏡胴。」
（２）明細書第３頁第２〜１２行（特許掲載公報第３欄第７〜１８行）の「本発明は、‥‥‥ことを特徴としている。」を「本発明は、前記目的を達成する為に、固定筒と、カム溝を有し、固定筒に回動自在に支持されたカム筒と、前記カム筒のカム溝に嵌入する従動ピンを有し、カム筒が回転することにより前後移動するレンズ枠と、前記固定筒の軸線方向に取付けられ、前記レンズ枠のガイド孔に嵌入してレンズ枠を案内するガイドバーと、を有する撮影レンズ鏡胴に於いて、前記固定筒の前面に固定絞り片を固定筒と一体に形成し、該固定絞り片によって固定筒の前面から入射した撮影光のうち、露光範囲の外側の余分な撮影光の侵入を防止し、前記固定絞り片によって前記余分な撮影光による前記従動ピンとガイドバーの反射を防止すると共に、ガイドバーの前端を固定絞り片に支持したことを特徴としている。」と訂正する。
（５４）【発明の名称】
撮影レンズ鏡胴
（５７）【特許請求の範囲】
　固定筒と、
　カム溝を有し、固定筒に回動自在に支持されたカム筒と、
　前記カム筒のカム溝に嵌入する従動ピンを有し、カム筒が回転することにより前後移動するレンズ枠と、
　前記固定筒の軸線方向に取付けられ、前記レンズ枠のガイド孔に嵌入してレンズ枠を案内するガイドバーと、
　を有する撮影レンズ鏡胴に於いて、
　
前記固定筒の前面に固定絞り片を固定筒と一体に形成し、該固定絞り片によって
　
前記固定絞り片によって前記余分な撮影光による前記従動ピンとガイドバーの反射を防止すると共に、
【発明の詳細な説明】
　〔産業上の利用分野〕
　本発明は、ビデオカメラに適した撮影レンズ鏡胴に関する。
　〔従来の技術〕
　撮影レンズ鏡胴には、いわゆる光り物と称される部品が使用される。例えば、カム筒を回転させることによりズームレンズを前後移動させる形式の撮影レンズ鏡胴には、レンズ枠から突出形成されカム筒のカム溝に嵌入する従動ピン、レンズ枠のガイド棒等がメッキ処理されており、光り反射し易い部品となっている。
　〔発明が解決しようとする課題〕
　この為、従来の撮影レンズ鏡胴では鏡胴内面にツヤ消し塗装を施し、更に内面反射防止用に鏡胴内面に遮光線を入れたりしている。従って、鏡胴内面の加工が複雑になる欠点がある。
　本発明は、このような事情に鑑みて成されたもので、簡単な構造でフレア防止を図ることができる撮影レンズ鏡胴を提案することを目的とする。
　〔課題を解決する為の手段〕
　本発明は、前記目的を達成する為に、固定筒と、カム溝を有し、固定筒に回動自在に支持されたカム筒と、前記カム筒のカム溝に嵌入する従動ピンを有し、カム筒が回転することにより前後移動するレンズ枠と、前記固定筒の軸線方向に取付けられ、前記レンズ枠のガイド孔に嵌入してレンズ枠を案内するガイドバーと、を有する撮影レンズ鏡胴に於いて、前記固定筒の前面に固定絞り片を固定筒と一体に形成し、該固定絞り片によって固定筒の前面から入射した撮影光のうち、露光範囲の外側の余分な撮影光の侵入を防止し、前記固定絞り片によって前記余分な撮影光による前記従動ピンとガイドバーの反射を防止すると共に、ガイドバーの前端を固定絞り片に支持したことを特徴としている。
　〔作用〕
　本発明では、ガイドバー、従動ピン等を撮影レンズの上下に配置し、撮影レンズ鏡胴の前面上下に固定絞り片を形成したので、この固定絞り片により余分な光りの侵入が防止される。固定絞り片は上下の撮影光もカットするが、撮像素子は横長に配置され、上下の光はカットしても問題とならない。
　また、固定絞り片は、ガイド棒を支持するので、部品点数も減少する。
〔実施例〕
　以下添付図面に従って本発明に係る撮影レンズ鏡胴の好ましい実施例を詳説する。
　第１図は本発明が適用されるズームレンズ鏡胴が示されている。第１図に於いて固定筒１０には前部から第１固定レンズ群１２、第１ズーム移動レンズ群１４、第２ズーム移動レンズ群１６、フォーカス移動レンズ群１８、第２固定レンズ群２０の５レンズ群が配置されている。また第２ズーム移動レンズ群１６の前部には絞り板１７が設けられている。
　第１固定レンズ群１２は固定筒１０の前部にレンズ枠２２を介して固着されている。固定筒１０の中央内部にはカム筒２４が回動自在に支持されており、このカム筒２４はその後端部に設けられたギア２６を介して図示しないモータから回転駆動力を与えられるようになっている。
　第１ズーム移動レンズ群１４は第１レンズ枠２８に装着されており、この第１レンズ枠２８の上部からはメッキ処理された従動ピン３０が突設され、この従動ピン３０はカム筒２４のカム溝３２内に嵌入されている。一方、第２ズーム移動レンズ群１６は第２レンズ枠３４に装着されており、第２レンズ枠３４の下部からはメッキ処理された従動ピン３６が突設され、この従動ピン３６はカム筒２４のカム溝３８内に嵌入されている。
　固定筒１０の上部には固定筒１０の軸方向にメッキ処理された第１ガイドバー４０が設けられ、更に固定筒１０の下部にはメッキ処理された第２ガイドバー４２が設けられている。第１ガイドバー４０の前端部は固定筒１０の前面上部に設けられた支持片４４の孔４６に挿入されて支持され、第１ガイドバー４０の後端部は固定筒１０の段部に形成された孔４８に挿入されて支持される。また、第２ガイドバー４２の前端部は固定筒１０の前面下部に形成された支持片５０の孔５２によって支持され、第２ガイドバー４２の後端部は固定筒１０の後端部に形成された孔５４によって支持される。固定筒１０に形成されたガイドバー４０、４２の支持片４４、５０は第２図に示すように固定筒１０の上方と下方に形成され、固定絞り片を形成するようになっている。これにより不要な光の侵入を防止し、ガイドバー４０、４２、従動ピン３０、３６等のいわゆる光り物の反射を防止するようになっている。支持片４４、５０は、被写体光の一部も遮光するが、第２図に示すようにＣＣＤ９４は横長に配置され、元来撮影に寄与しない部分なので問題とならない。
　第３図では第１ズームレンズ枠２８と第２ズームレンズ枠３４と第１、第２ガイドバー４０、４２との関係を示している。即ち、第１レンズ枠２８の上部に形成されたガイド孔５６には第１ガイドバー４０が嵌入して前後方向にガイドされ、第１レンズ枠２６の下部に形成された振れ止め凹部５８には第２ガイドバー４２が嵌入して第１ズームレンズ枠２８の振れ止めを行う。従って、この状態でカム筒２４が回転すると、第１ズームレンズ枠２８はガイドバー４０、４２にガイドされながら前後移動することになる。一方第２ズームレンズ枠３４の下部にはガイド孔６０が形成され、このガイド孔６０には第２ガイドバー４２が嵌入し、更に、第２ズームレンズ枠３４の上部には振れ止め用凹部６２が形成され、この凹部６２には第１ガイドバー４０が嵌入している。従ってこの状態でカム筒２４が回転すると、第２ズームレンズ枠３４はガイドバー４０、４２にガイドされながら前後移動することになる。このように第１ガイドバー４０は第１ズームレンズ枠２８のガイド孔５６に嵌入して第１ズームレンズ枠２８をガイドすると共に、第２ズームレンズ枠３４の凹部６２に位置して第２ズームレンズ枠３４の振れ止めを成す。第２ガイドバー４２は第２ズームレンズ枠３４の孔６０をガイドすると共に、第１ズームレンズ枠２８の振れ止めを成すので、従来のズームレンズ鏡胴と比較し部品点数、加工工数が減少する効果がある。
　第１図に示すようにフォーカス移動レンズ群１８はレンズ枠６３に装着されており、このレンズ枠６３の下部のガイド孔６４には第２ガイドバー４２が嵌入されている。また、フォーカスレンズ枠６３の上部には凹部６６が形成され、この凹部６６には第１ガイドバー４０が嵌入し、レンズ枠６３の振れ止めを行う。このようにフォーカスレンズ枠６３がズームレンズ系のガイドバー４０、４２を共用しているので、ズームレンズ系とフォーカスレンズ系との光軸合わせ調整が容易になると共に、部品点数が減少する効果がある。
　次に、フォーカスレンズの駆動機構について説明する。第４図に示すように固定筒１０に取付けられたフォーカスモータ６８の出力軸にはプーリ７０が設けられ、プーリ７０にはベルト７２が張設され、このベルト７２はプーリ７４を回転させる。プーリ７４にはねじ軸７６が固着されており、このねじ軸７６にはナット部材７８が螺合している。ナット部材７８は第５図、第６図に示すように一対の二又状の係止部８０が形成されている。一対の二又状の係止部８０の間にはそれぞれ長孔８２、８２が形成されると共に、係止片８４、８４が弾性変形可能なように形成されている。この二又状係止部８２は第５図、第６図で示すフォーカスレンズ枠６３と一体の連結片８６が係合される。即ち、連結片８６は両側のピン８８、８８、球面コマ９０から形成されている。連結片８６の取付けはピン８８、８８を一対の二又状の係止部８０間の長孔８２、８２内に嵌入すると共に、球面コマ９０を係止片８４、８４間の溝の中に嵌入する。このように組立てられた連結構造が第５図に示されている。
　このような連結構造に於いて、モータ６８からの回転力はねじ軸７６に伝達され、これによりナット部材７８が前後移動する。ナット部材７８が前後移動するとナット部材７８とフォーカスレンズ枠６３とは球面構造を介して連結されている。従って、ねじ軸７６とガイドバー４０、４２の平行度の狂いをこの球面当接部で吸収することが出来、ナット部材７８の動きは阻害されない。
　フォーカス移動レンズ１８の後方には、第２固定レンズ群２０がレンズ枠７９を介して固定筒１０に固着されている。
　第１図に示すように固定筒１０の後部にはローパスフイルタ９２が設けられ、更にローパスフィルタ９２の後方にはＣＣＤ９４が配置される。
　前記の如く構成された本発明に係るレンズ鏡胴に於いて、カム筒２４が回転することによりズームレンズ群１４、１６が第１図の一点鎖線で示すように移動し、ズーミングを行う。
　また、モータ６８が回転駆動し、フォーカスレンズ枠６３が移動し、焦点調節を行う。
　撮影画像光はローパスフィルタ９２を通ってＣＣＤ９４で撮像されることになる。
〔発明の効果〕
　本発明では、ガイドバー、従動ピン等を撮影レンズの上下に配置し、撮影レンズ鏡胴の前面上下に固定絞り片を形成したので、この固定絞り片により余分な光の浸入が防止される。また、固定絞り片は、ガイドバーを支持するので、部品点数も減少する。
【図面の簡単な説明】
　第１図は本発明が適用されるズームレンズ鏡胴の構造を示す断面図、第２図は第１図上でＩＩ−ＩＩ線に沿うズームレンズ鏡胴の前面の形状を示す断面図、第３図はズームレンズ枠とガイドバーとの関係を示す斜視図、第４図は第１図上でＩＶ−ＩＶ線に沿う図面、第５図は第１図上でＶ−Ｖ線に沿う矢視図、第６図はフォーカスレンズの駆動機構の連結部の構造を示す斜視図である。
１０…固定筒、２４…カム筒、２８、３４…ズームレンズ移動枠、３０、３６…従動ピン、４０、４２…ガイドバー、４４、５０…支持片。